(57)【要約】  空気調和機の室内機（１）は、室内機本体部（２）の下面に、第１フィルタ（１６）を備えた第１吸込み口（１２）を有し、第１吸込み口（１２）および第１フィルタ（１６）における、それぞれの室内機本体部（２）の前面側の端部（１２ａ、１６ａ）は、それぞれの室内機本体部（２）の後面側の端部（１２ｂ、１６ｂ）よりも上方に位置するように傾斜している。
2019239649.tif 000002
【特許請求の範囲】
【請求項１】
空気を吹出す吹出し口を有する本体部を備え、
上記本体部が、下面に、空気を吸込む第１吸込み口を有するとともに、上記第１吸込み口の内側に、第１空気清浄フィルタを有し、
上記第１吸込み口の空気の吸込み面が、該吸込み面における上記本体部の前面側の端部が該吸込み面における上記本体部の後面側の端部よりも上方に位置するように傾斜しているとともに、
上記第１空気清浄フィルタが、該第１空気清浄フィルタの上記第１吸込み口との対向面における上記本体部の前面側の端部が上記対向面における上記本体部の後面側の端部よりも上方に位置するように傾斜していることを特徴とする空気調和機の室内機。
【請求項２】
上記本体部が、上面に、空気を吸込む第２吸込み口を有するとともに、上記第２吸込み口の内側に、第２空気清浄フィルタを有し、
上記第１吸込み口における空気の吸込み面の面積が上記第２吸込み口における空気の吸込み面の面積よりも大きく、上記第１空気清浄フィルタの面積が上記第２空気清浄フィルタの面積よりも大きいことを特徴とする請求項１に記載の空気調和機の室内機。
【請求項３】
上記本体部が、上面に、空気を吸込む第２吸込み口を有するとともに、上記第２吸込み口の内側に、第２空気清浄フィルタを有し、
上記第２吸込み口の空気の吸込み面が、該吸込み面における上記本体部の後面側の端部が該吸込み面における上記本体部の前面側の端部よりも上方に位置するように傾斜しているとともに、
上記第２空気清浄フィルタが、該第２空気清浄フィルタの上記第２吸込み口との対向面における上記本体部の後面側の端部が上記対向面における上記本体部の前面側の端部よりも上方に位置するように傾斜していることを特徴とする請求項１に記載の空気調和機の室内機。
【請求項４】
上記本体部が、上面に、空気を吸込む第２吸込み口を有するとともに、上記第２吸込み口の内側に、第２空気清浄フィルタを有し、
上記第１吸込み口における空気の吸込み面の面積が上記第２吸込み口における空気の吸込み面の面積よりも大きく、上記第１空気清浄フィルタの面積が上記第２空気清浄フィルタの面積よりも大きく、かつ、
上記第２吸込み口の空気の吸込み面が、該吸込み面における上記本体部の後面側の端部が該吸込み面における上記本体部の前面側の端部よりも上方に位置するように傾斜しているとともに、
上記第２空気清浄フィルタが、該第２空気清浄フィルタの上記第２吸込み口との対向面における上記本体部の後面側の端部が上記対向面における上記本体部の前面側の端部よりも上方に位置するように傾斜していることを特徴とする請求項１に記載の空気調和機の室内機。
【請求項５】
上記第１空気清浄フィルタがＨＥＰＡフィルタであることを特徴とする請求項１〜４の何れか１項に記載の空気調和機の室内機。
【請求項６】
上記第１空気清浄フィルタおよび上記第２空気清浄フィルタがそれぞれＨＥＰＡフィルタであることを特徴とする請求項２〜４の何れか１項に記載の空気調和機の室内機。
【発明の詳細な説明】
【技術分野】
【０００１】
本発明は、空気清浄機能を備えた空気調和機に関する。
【背景技術】
【０００２】
従来、空気清浄機能を得るため、空気の吸込み口に、ＨＥＰＡフィルタ（High Efficiency Particulate Air Filter）等の空気清浄フィルタを備えた空気調和機が知られている。空気清浄機能を有さない一般的な空気調和機の室内機は、上面のみに空気の吸込み口を有している。このため、空気清浄フィルタを備えた空気調和機の室内機も、一般的に、上面のみに空気の吸込み口を有している。【０００３】
図７の（ａ）・（ｂ）は、上面に、空気清浄フィルタを備えた空気の吸込み口を有する空気調和機の室内機１００による、空調空間内での空気の流れを示す説明図である。このような室内機１００では、図７の（ａ）に矢印で示すように、空気の吹出口から空気（風）を床に向かって下向きに吹き付け、舞い上がってきた塵埃を空気とともに上記吸込み口から吸込むことにより空気清浄を行うことが有効である。【０００４】
図７の（ｂ）に矢印で示すように、空気（風）を、天井に向かって上向きに吹き付ける場合、室内機１００から天井に向かって吹き付けられた空気は、天井、壁、床を、この順に伝って流れ、最後はまた天井まで上がり、上記吸込み口から吸い込まれる。この場合、室内機１００近傍の天井付近では、室内機１００から吐出される空気と吸込まれる空気とが交わることで、塵埃が、室内機１００から吐出された空気に流される等して、効率的に空気清浄を行うことができない場合がある。【０００５】
これに対し、近年、特許文献１のように、空気清浄機能を有する、下面に空気の吸込み口を備えた下吸込み型の空気調和機の室内機が提案されている。なお、特許文献１に記載の室内機は、吸込み口の内側に設けられたフィルタと熱交換器との間に、空気清浄機が設けられた構成を有している。
【先行技術文献】
【特許文献】
【０００６】
【特許文献１】日本国公開特許公報「特開２００７−２８５５３３号公報」
【発明の概要】
【発明が解決しようとする課題】
【０００７】
空気調和機の室内機は、例えば天井近く等、空調空間における相対的に高い位置に設けられる。このため、空気調和機の室内機の下面側に、空気清浄フィルタを備えた空気の吸込み口を設ければ、空気清浄効果の向上、並びに、空気の吸込み風量の増加が期待できる。そこで、空気調和機の室内機の上面および下面に、それぞれ空気清浄フィルタを備えた空気の吸込み口を形成することが考えられる。【０００８】
図８の（ａ）・（ｂ）は、空気調和機の室内機２００の上面および下面にそれぞれ空気清浄フィルタを備えた空気の吸込み口を設けた場合における、該空気調和機の室内機２００による、空調空間内での空気の流れを示す説明図である。【０００９】
図８の（ａ）に矢印で示すように、このような室内機２００から空気を天井に向かって上向きに吐出した場合、天井および壁を伝って床まで流れた空気は、室内機２００の下面に設けられた空気の吸込み口から吸い込まれる。したがって、このように下面に空気清浄フィルタを備えた空気の吸込み口を設けた室内機２００を用いることで、図７の（ｂ）で示したような、吐出される空気と吸込まれる空気との接触が少なく、効率良く空気清浄を行うことができる。【００１０】
また、図８の（ｂ）に矢印で示すように、室内機２００から空気を床に向かって下向きに吹き付けた場合、室内機２００から見て、床に吹き付けた空気よりも奥側に舞い上がってきた塵埃を、室内機２００の上面に設けられた吸込み口から吸込む。一方、室内機２００から見て、床に吹き付けた空気よりも手前側に舞い上がってきた塵埃を、室内機２００の下面に設けられた吸込み口から吸込む。これにより、室内機２００の上面にのみ吸込み口が設けられている場合よりも、より効率的に空気清浄を行うことができる。【００１１】
なお、室内機２００から見て、床に吹き付けた空気よりも手前側とは、室内機２００から吐出された空気が床と接触する位置よりも室内機２００に近い側を示す。また、室内機２００から見て、床に吹き付けた空気よりも奥側とは、室内機２００の前方側、言い換えれば、上記手前側とは反対方向を示す。【００１２】
しかしながら、上述したように室内機２００の下面に、空気清浄フィルタを備えた空気の吸込み口を設けた場合、以下に示す課題が生じる。【００１３】
図９は、空気調和機の室内機２００の下面に、空気清浄フィルタを備えた空気の吸込み口を設けた場合の課題を示す図である。【００１４】
前述したように、空気清浄機能を有さない、通常の空気調和機の室内機は、一般的には、上面に空気の吸込み口を有している。このような空気調和機の室内機には、集塵フィルタとして、粗塵埃を捕集して除去するプレフィルタが使用されている。空気調和機の前面には化粧パネルが設けられているが、このようにプレフィルタを用いた通常の空気調和機の室内機であれば、該室内機の前面から上面の広範囲にかけて空気の吸込み口を設けることが可能である。この場合、吸込みの速度ベクトルは、垂直方向のみならず、一部、水平方向にも構成される。【００１５】
しかしながら、プレフィルタでは除去できない微塵埃を捕集して除去する、ＨＥＰＡフィルタ等の空気清浄フィルタは、プレフィルタと比較して厚みがかなり厚い。一例として、ＨＥＰＡフィルタは、例えば３０ｍｍもの厚みを有している。このため、このような空気清浄フィルタは、直線状に配置される。したがって、空気の吸込み口が水平に形成されており、空気清浄フィルタを水平に配置した場合、吸込みの速度ベクトルは、ほぼ垂直方向で構成される。【００１６】
このため、室内機２００の下面に、空気清浄フィルタを備えた空気の吸込み口が水平に設けられている場合、図９に示すように、室内機２００の真下、言い換えれば、空気の吸込み口の吸込み面と平行に、家具あるいはカーテンレール等の障害物があると、室内機２００と障害物との間の隙間の大きさによっては、空気の吸込み口からの空気の吸込み（下吸込み）が正常に機能しない可能性がある。【００１７】
また、室内機２００と障害物との間の隙間（通風空間）が狭いと、風が通る面積が狭くなり、風速が速くなる。送風抵抗は風速の二乗に比例する。送風抵抗の増加は、風量の低下（言い換えれば、空気の吸込み口から吸込まれる空気の量の低下）に繋がる。空気の吸込み口から吸込まれた空気は、送風ファンおよび熱交換器を経て吹出し口から吹き出される。したがって、空気の吸込み口から吸込まれる空気の量が低下すると、吹出し口から吹出される空気の速度が低下し、吹出し口から吹出される空気が遠くまで届かなくなる。【００１８】
したがって、室内機２００の下面に空気の吸込み口が水平に設けられている場合、室内機２００の真下に障害物が配置されると、空気の循環が悪くなり、空気清浄効果が低下することが懸念される。【００１９】
なお、上記問題は、室内機２００のように、空気調和機の室内機の上面および下面に、それぞれ空気清浄フィルタを備えた空気の吸込み口が形成されている場合のみならず、空気調和機の室内機の下面のみに空気清浄フィルタを備えた空気の吸込み口が設けられている場合にも同様に生じる。【００２０】
そこで、本発明の一態様は、空気調和機の室内機の真下に障害物がある場合でも空気の循環性能を維持することができるとともに、従来よりも空気清浄効果が高い空気調和機の室内機を提供することを目的とする。
【課題を解決するための手段】
【００２１】
上記の課題を解決するために、本発明の一態様にかかる空気調和機の室内機は、空気を吹出す吹出し口を有する本体部を備え、上記本体部が、下面に、空気を吸込む第１吸込み口を有するとともに、上記第１吸込み口の内側に、第１空気清浄フィルタを有し、上記第１吸込み口の空気の吸込み面が、該吸込み面における上記本体部の前面側の端部が該吸込み面における上記本体部の後面側の端部よりも上方に位置するように傾斜しているとともに、上記第１空気清浄フィルタが、該第１空気清浄フィルタの上記第１吸込み口との対向面における上記本体部の前面側の端部が上記対向面における上記本体部の後面側の端部よりも上方に位置するように傾斜している。
【発明の効果】
【００２２】
本発明の一態様によれば、空気調和機の室内機の真下に障害物がある場合でも空気の循環性能を維持することができるとともに、従来よりも空気清浄効果が高い空気調和機の室内機を提供することができる。
【図面の簡単な説明】
【００２３】
【図１】実施形態１にかかる空気調和機の室内機の外観を示す斜視図である。
【図２】図１に示す空気調和機の室内機の縦断面図である。
【図３】（ａ）は、実施形態１にかかる室内機が停止状態である場合の開閉蓋および導風板の状態を示す室内機の概略の側面図であり、（ｂ）は、実施形態１にかかる室内機が冷房設定の場合の開閉蓋および導風板の状態を示す室内機の概略の側面図であり、（ｃ）は、実施形態１にかかる室内機が暖房設定の場合の開閉蓋および導風板の状態を示す概略の側面図である。
【図４】実施形態１にかかる室内機の要部の構成を示す概念図である。
【図５】実施形態２にかかる室内機の要部の構成を示す概念図である。
【図６】実施形態３にかかる室内機の要部の構成を示す概念図である。
【図７】（ａ）・（ｂ）は、上面に、空気清浄フィルタを備えた空気の吸込み口を有する空気調和機の室内機による、空調空間内での空気の流れを示す説明図である。
【図８】（ａ）・（ｂ）は、空気調和機の室内機の上面および下面にそれぞれ空気清浄フィルタを備えた空気の吸込み口を設けた場合における、該空気調和機の室内機による、空調空間内での空気の流れを示す説明図である。
【図９】空気調和機の室内機の下面に、空気清浄フィルタを備えた空気の吸込み口を設けた場合の課題を示す図である。
【図１０】空気調和機の室内機の上面および下面に、それぞれ空気清浄フィルタを備えた空気の吸込み口を設けた場合の他の課題を示す図である。
【発明を実施するための形態】
【００２４】
以下に、本発明の実施形態について詳細に説明する。なお、以下の各実施形態では先に説明した部材と同じ機能を有する部材については同じ符号を付記し、その説明を繰り返さない。
【００２５】
〔実施形態１〕
図１は、本実施形態の空気調和機の室内機１の外観を示す斜視図である。図２は、図１に示す空気調和機の室内機１の縦断面図である。
【００２６】
（室内機１の概要）
図１に示すように、空気調和機の室内機１は、室内機本体部２（本体部）の前面に導風板３を備えている。室内機本体部２は、図２に示すように、下面に、空気を吸込む第１吸込み口１２（下吸込み口）を有し、上面に、空気を吸込む第２吸込み口１１（上吸込み口）を有し、内部に送風ファン１３および熱交換器１４を有し、前部に吹出し口１７を有している。
【００２７】
また、室内機１は、第１吸込み口１２の内側（上側）に、通過する空気を清浄化する第１フィルタ１６（第１空気清浄フィルタ）を有し、第２吸込み口１１の内側（下側）に、通過する空気を清浄化する第２フィルタ１５（第２空気清浄フィルタ）を有している。第１フィルタ１６は、第１フィルタ保持部材２２で、室内機本体部２の内部に固定されている。第２フィルタ１５は、第２フィルタ保持部材２１で、室内機本体部２の内部に固定されている。
【００２８】
第１フィルタ１６および第２フィルタ１５は、これらフィルタを通過する空気中に含まれる微塵埃を捕集して除去する空気清浄フィルタであり、粗塵埃を捕集して除去する、いわゆるプレフィルタと称される集塵フィルタよりも高性能で厚みが厚く、通風抵抗が大きいフィルタである。第１フィルタ１６および第２フィルタ１５としては、例えばＨＥＰＡフィルタ(High Efficiency Particulate Air Filter)が用いられる。
【００２９】
室内機１では、送風ファン１３を回転させることにより、第１吸込み口１２から吸い込まれた空気は、第１フィルタ１６、送風ファン１３および熱交換器１４を経て吹出し口１７から吹き出される。また、第２吸込み口１１から吸い込まれた空気は、第２フィルタ１５、送風ファン１３および熱交換器１４を経て吹出し口１７から吹き出される。第２吸込み口１１には、第２吸込み口１２を開閉する開閉蓋１８が設けられている。
【００３０】
送風ファン１３は、例えばシロッコファンあるいはターボファンからなる。熱交換器１４は、送風ファン１３の前方位置（送風ファン１３よりも室内機１の前面側位置）に配置されている。
【００３１】
室内機１は、第１吸込み口１２から空気を吸込む下吸込み、または、第１吸込み口１２および第２吸込み口１１からそれぞれ空気を吸込む上下吸込みによる空気清浄が可能である。室内機１は、冷房もしくは暖房と併せて空気清浄動作を行うことができる。また、空気清浄動作のみを行うこともできる。室内機１では、空調時に、吹出し口１７から吐出される空気の吐出方向に応じて下吸込みまたは上下吸込みが行われる。
【００３２】
図３の（ａ）は、本実施形態にかかる室内機１が停止状態である場合の開閉蓋１８および導風板３の状態を示す室内機１の概略の側面図である。図３の（ｂ）は、本実施形態にかかる室内機１が冷房設定の場合の開閉蓋１８および導風板３の状態を示す室内機１の概略の側面図である。図３の（ｃ）は、本実施形態にかかる室内機１が暖房設定の場合の開閉蓋１８および導風板３の状態を示す概略の側面図である。なお、図３の（ａ）〜（ｃ）では、簡略化のため、図２に示した送風ファン１３および熱交換器１４の記載を省略している。
【００３３】
開閉蓋１８は、図３の（ａ）に示すように、空気調和機の運転停止時には閉状態であり、上吸込みも下吸込みも行わない。開閉蓋１８は、図３の（ｂ）に示すように、冷房設定の場合は閉状態となる。この場合、第１吸込み口１２から空気を吸込み、吹出し口１７から、空気（風）を、天井に向かって上向きに吹き付ける、下吸込み上吹出しが行われる。
【００３４】
この場合、図８の（ａ）に矢印で示したように、天井に向かって上向きに吐出された空気は、天井および壁を伝って床まで流れる。床まで流れた空気は、室内機２００と同様に、室内機１の下面に設けられた第１吸込み口１２から吸い込まれる。
【００３５】
このため、室内機１によれば、図７の（ｂ）で示したような、吐出される空気と吸込まれる空気との接触が少なく、効率良く空気清浄を行うことができる。
【００３６】
また、開閉蓋１８は、図３の（ｃ）に示すように、暖房設定の場合には開状態となる。この場合、第１吸込み口１２および第２吸込み口１１から空気を吸込み、吹出し口１７から、空気（風）を、床に向かって下向きに吹き付ける、上下吸込み下吹出しが行われる。
【００３７】
この場合、図８の（ｂ）に矢印で示したように、床に向かって吹き付けられた空気は、床から壁を伝って上方（天井側）に流れる。このとき、室内機２００と同様に、室内機１の前方側（言い換えれば、室内機１から見て、床に吹き付けた空気よりも奥側）に舞い上がってきた塵埃は、室内機１が取り付けられた壁とは反対側の壁側を伝って天井まで上がり、第２吸込み口１１から吸い込まれる。また、室内機１から見て、床に吹き付けた空気よりも手前側に舞い上がってきた塵埃は、第１吸込み口１２から吸込まれる。これにより、従来のように空気調和機の室内機の上面もしくは下面にのみ空気の吸込み口が設けられている場合よりも、より効率的に空気清浄を行うことができる。
【００３８】
図４は、本実施形態にかかる室内機１の要部の構成を示す概念図である。図２および図４に示すように、第１吸込み口１２の空気の吸込み面（言い換えれば第１吸込み口１２の開口面、以下、「第１吸込み面」と称する）は、該第１吸込み面における室内機本体部２の前面側の端部１２ａが該第１吸込み面における室内機本体部２の後面側の端部１２ｂよりも上方に位置するように傾斜している。また、第１フィルタ１６は、該第１フィルタ１６の第１吸込み口１２との対向面における室内機本体部２の前面側の端部１６ａ（言い換えれば、第１フィルタ１６の前面側下端）が上記対向面における室内機本体部２の後面側の端部１６ｂ（言い換えれば、第１フィルタ１６の後面側下端）よりも上方に位置するように傾斜している。
【００３９】
室内機１は、第１吸込み面および第１フィルタ１６が上述したように傾斜していることで、室内機１の真下に、家具あるいはカーテンレール等の障害物があったとしても、第１吸込み口１２と障害物との隙間を確保し、風（空気）の通り路を広げることができる。また、第１吸込み面および第１フィルタ１６が上述したように傾斜していることで、第１フィルタ１６が直線状に配置されているにも拘らず、室内機１の吸込みの速度ベクトルは、垂直方向のみならず、水平方向にも構成される。このため、室内機１の吸込みの速度ベクトルがほぼ垂直方向に構成されている場合と比較して、空気を吸込み易くなる。したがって、室内機１の真下に障害物があったとしても、空気の循環性能を維持することができる。
【００４０】
さらに、第１吸込み面および第１フィルタ１６が上述したように傾斜していることで、図４に示すように、第１吸込み口１２における、傾斜方向の幅Ｌ１２（言い換えれば、第１吸込み口１２における、室内機本体部２の前面側の端部１２ａと後面側の端部１２ｂとの間の長さ）が、該第１吸込み口１２における、上記傾斜方向の水平面への投影幅Ｌ１２’（言い換えれば第１吸込み口１２における、室内機本体部２の前面側の端部１２ａと後面側の端部１２ｂとの間の水平方向の長さ）よりも大きくなる。つまり、Ｌ１２＞Ｌ１２’となる。
【００４１】
このため、第１吸込み面および第１フィルタ１６が上述したように傾斜していることで、第１吸込み面が水平に形成されており、第１フィルタ１６を水平に配置した場合と比較して、それぞれの第１吸込み面の水平方向の幅（Ｌ１２’）が同じであっても、第１吸込み面の開口幅（開口面積）を広げることができる。この結果、送風抵抗が小さくなり、風量が増加する。第１吸込み口１２から吸込まれた空気は、送風ファン１３および熱交換器１４を経て吹出し口１７から吹き出される。したがって、第１吸込み口１２から吸込まれる空気の量が増加すると、吹出し口１７から吹出される空気の速度（風速）が増し、吹出し口１７から吹出される空気が遠くまで届く。特に、図３の（ｂ）に示すように上吹出しの場合の風の到達距離が遠くなる。したがって、空調空間（空気清浄空間）における空気の清浄率を向上させることができる。このため、本実施形態によれば、従来よりも空気清浄効果が高い空気調和機の室内機１を提供することができる。
【００４２】
なお、本実施形態において、第１吸込み面の傾斜角度と第１フィルタ１６の傾斜角度とは、同じであることが望ましいが、異なっていても構わない。
【００４３】
第１吸込み面の傾斜角度および第１フィルタ１６の傾斜角度は、それぞれ大きければ大きいほど、上述した効果が大きくなることから望ましい。但し、上述したように第１吸込み面および第１フィルタ１６を傾斜させるためには、例えば、第１吸込み口１２および第１フィルタ保持部材２２と、これら第１吸込み口１２および第１フィルタ保持部材２２に隣接する部材（例えば送風ファン１３、熱交換器１４等）との隙間を小さくしたり、これら第１吸込み口１２および第１フィルタ保持部材２２に隣接する部材の形状を変更したりする必要がある。あるいは、室内機本体部２の寸法を大きくする必要がある。このため、室内機１を規定寸法内に収めるためには、第１吸込み面の傾斜角度および第１フィルタ１６の傾斜角度は、それぞれ２０度以下に設定されていることが望ましい。
【００４４】
なお、本実施形態において、第１フィルタ１６と第２フィルタ１５とは同じ大きさを有している。例えば、第１フィルタ１６および第２フィルタ１５は、第１フィルタ１６における傾斜方向の幅（言い換えれば第１フィルタ１６における端部１６ａと端部１６ｂとの間の長さ）をＬ１６とし、上記傾斜方向における第２フィルタ１５の幅をＬ１５とすると、Ｌ１５＝Ｌ１６となるように設計されている。また、第２吸込み口１１の空気の吸込み面（言い換えれば第２吸込み口１１の開口面、以下、「第２吸込み面」と称する）は水平に形成されており、第２フィルタ１５は水平に配置されている。但し、室内機１の構成は、後述する実施形態および下記変形例に示すように、上記構成に限定されるものではない。
【００４５】
＜変形例１＞
前述したように、本実施形態では、室内機本体部２が第１吸込み口１２および第２吸込み口１１を有している場合を例に挙げて説明した。しかしながら、図９で説明した問題点は、空気調和機の室内機の下面のみに空気清浄フィルタを備えた空気の吸込み口が設けられている場合にも同様に生じる。
【００４６】
また、室内機１は、例えば天井近く等、空調空間における相対的に高い位置に設けられる。このため、室内機１の下面に第１フィルタ１６を備えた第１吸込み口１２を設けることで、室内機の上面のみに空気清浄フィルタが設けられた従来の空気調和機の室内機よりも空気清浄効果を向上させることができるとともに、空気の吸込み風量を増加させることができる。
【００４７】
したがって、本実施形態は、空気の吸込み口として室内機１の下面に第１フィルタ１６を備えた第１吸込み口１２のみが設けられている場合にも好適に適用できる。
【００４８】
＜変形例２＞
また、本実施形態では、第１フィルタ１６および第２フィルタ１５が例えばＨＥＰＡフィルタである場合を例に挙げて説明した。しかしながら、本実施形態は、これに限定されるものではなく、第１フィルタ１６および第２フィルタ１５は、ＵＬＰＡ（Ultra Low Penetration Air Filter）であってもよく、第１フィルタ１６および第２フィルタ１５のうち一方がＨＥＰＡフィルタで他方がＵＬＰＡフィルタであってもよい。また、第１フィルタ１６および第２フィルタ１５のうち少なくとも一方に、高性能フィルタと称される、ＨＥＰＡフィルタ以外の空気清浄フィルタを使用してもよい。
【００４９】
例えば、ＵＬＰＡフィルタは、ＨＥＰＡフィルタよりも捕集できる塵埃のサイズ（粒子のサイズ）が小さく、微塵埃の捕集率（空気清浄率）が高い。その一方で、ＵＬＰＡフィルタは、ＨＥＰＡフィルタよりも空気を通し難く、風量が小さくなる。塵埃（微塵埃）の除去効率（空気清浄効率）は、吸込む空気の量が大きいほど大きくなる。このため、空気清浄効率は、ＵＬＰＡフィルタよりもＨＥＰＡフィルタの方が高い。第１フィルタ１６および第２フィルタ１５に使用される空気清浄フィルタは、目的および必要とする性能に応じて、任意に選択すればよく、ＨＥＰＡフィルタに限定されない。
【００５０】
〔実施形態２〕
図５は、本実施形態にかかる室内機１の要部の構成を示す概念図である。本実施形態にかかる室内機１は、図５に示すように、第１吸込み口１２における第１吸込み面の面積および第１フィルタ１６の面積が、第２吸込み口１１における第２吸込み面の面積および第２フィルタ１５の面積よりも大きい。このため、本実施形態にかかる室内機１は、第１吸込み口１２における第１吸込み面の面積が第２吸込み口１１における第２吸込み面の面積よりも大きく、第１フィルタ１６の面積が第２フィルタ１５の面積よりも大きい。本実施形態にかかる室内機１は、この点で、実施形態１にかかる室内機１と異なっている。例えば、第１フィルタ１６および第２フィルタ１５は、前述したように、第１フィルタ１６における傾斜方向の幅（言い換えれば第１フィルタ１６における端部１６ａと端部１６ｂとの間の長さ）をＬ１６とし、上記傾斜方向における第２フィルタ１５の幅をＬ１５とすると、Ｌ１５＜Ｌ１６となるように設計されている。
【００５１】
なお、本実施形態にかかる室内機１における第２フィルタ１５の幅Ｌ１５は実施形態１にかかる室内機１における第２フィルタ１５の幅Ｌ１５と同じであり、本実施形態にかかる室内機１における第２フィルタ１５の面積は、実施形態１にかかる室内機１における第２フィルタ１５の面積と同じである。
【００５２】
第１吸込み面の面積を大きくすると、それに合わせて第１フィルタ１６の面積を大きくする必要がある。第１フィルタ１６は、第１吸込み面の面積に合わせて形成される。また、第２フィルタ１５は、第２吸込み面の面積に合わせて形成される。本実施形態では、第１吸込み面の面積が第２吸込み面の面積の１．５倍となるように設計し、それに合わせて、第１フィルタ１６の面積が例えば第２フィルタ１５の面積の１．５倍となるように、第１フィルタ１６の幅Ｌ１６を第２フィルタ１５の幅Ｌ１５の１．５倍に設定した。
【００５３】
本実施形態によれば、第１吸込み面の開口幅（開口面積）を第２吸込み面の開口幅（開口面積）よりも広げるとともに、それに合わせて第１フィルタ１６の面積を第２フィルタ１５の面積よりも広げることで、床面付近の空気の清浄率をより向上させることができる。このため、ユーザが空気の清浄効果をより実感できるようになる。
【００５４】
なお、本実施形態では、第１吸込み面の面積を第２吸込み面の面積の１．５倍とし、第１フィルタ１６の面積を第２フィルタ１５の面積の１．５倍としたが、本実施形態は、これに限定されるものではない。第１吸込み面の面積および第１フィルタ１６の面積は、例えば、室内機本体部２の上面および下面の大きさ、第１フィルタ１６を保持する第１フィルタ保持部材２２に隣接する部材の形状、該部材との間の隙間の大きさ、等を含むデザイン、室内機本体部２の寸法等を考慮して設定すればよく、特に限定されない。
【００５５】
〔実施形態３〕
図６は、本実施形態にかかる室内機１の要部の構成を示す概念図である。また、図１０は、図８の（ａ）・（ｂ）に示したように空気調和機の室内機２００の上面および下面に、それぞれ空気清浄フィルタを備えた空気の吸込み口を設けた場合の他の課題を示す図である。
【００５６】
前述したように、空気調和機の室内機は、例えば天井近く等、空調空間における相対的に高い位置に設けられる。このため、空気清浄効果の向上、並びに、空気の吸込み風量の増加の観点からは、空気調和機の室内機の下面側の空気の循環性能を維持することが望ましい。特に、賃貸住宅等、予め空気調和機の室内機が取り付けられた空調空間内に、後から家具を配置する場合、配置する家具の高さによって、該家具が前述した障害物となり得る。
【００５７】
一方、空気調和機の室内機は、業者によって取付け工事が行われることが一般的であり、市販の空気調和機の室内機の取扱説明書には、天井から、一定の距離以上、離間して取り付けられるように注意書きが記載されている。このため、空気調和機の室内機の上面側には一定の空間が確保されている場合が多い。しかしながら、様々な事情から、室内機を天井ぎりぎりに取り付けざるを得ない等、上記距離が十分に確保できない場合がある。前述したように、空気の吸込み口が水平に形成されており、空気清浄フィルタを水平に配置した場合、吸込みの速度ベクトルは、ほぼ垂直方向で構成される。
【００５８】
このため、図１０に示すように空気調和機の室内機２００と天井との隙間が狭いと、室内機２００のように、その上面に空気の吸込み口が水平に設けられている場合、天井が障害物となり、吸込み効率が低下する。したがって、空気調和機の室内機２００の上下に障害物がある場合、上吸込み、下吸込みともに正常に機能しない可能性もある。
【００５９】
実施形態１、２にかかる室内機１は、少なくとも室内機１の下面側の空気の循環性能が維持されており、たとえ室内機１の真下に障害物があったとしても、空気清浄効果を得ることができる。しかしながら、室内機１を天井ぎりぎりに取り付けざるを得ない等、室内機１の真上に障害物がある場合を想定した場合、上吸込みでの吸込み効率の低下を抑制するためには、室内機１の上面側の空気の循環性能を維持することが望ましい。
【００６０】
そこで、本実施形態にかかる室内機１は、図６に示すように、例えば実施形態１にかかる室内機１において、第２吸込み口１１の第２吸込み面が、該第２吸込み面における室内機本体部２の後面側の端部１１ｂが該第２吸込み面における室内機本体部２の前面側の端部１１ｂよりも上方に位置するように傾斜している。また、第２フィルタ１５が、該第２フィルタ１５の第２吸込み口１１との対向面における室内機本体部２の後面側の端部１５ｂ（言い換えれば、第２フィルタ１５の後面側上端）が上記対向面における室内機本体部２の前面側の端部１５ａ（言い換えれば、第２フィルタ１５の前面側上端）よりも上方に位置するように傾斜している。
【００６１】
このため、本実施形態にかかる室内機１によれば、室内機１を天井ぎりぎりに取り付けざるを得ない場合であったとしても、第２吸込み口１１と天井（障害物）との隙間を確保し、風（空気）の通り路を広げることができる。また、第２吸込み面および第２フィルタ１５が上述したように傾斜していることで、第２フィルタ１５が直線状に配置されているにも拘らず、室内機１の吸込みの速度ベクトルは、垂直方向のみならず、水平方向にも構成される。このため、室内機１の吸込みの速度ベクトルがほぼ垂直方向に構成されている場合と比較して、空気を吸込み易くなる。したがって、室内機１の真上に障害物があったとしても、空気の循環性能を維持することができる。
【００６２】
さらに、第２吸込み面および第２フィルタ１５が上述したように傾斜していることで、図６に示すように、第２吸込み口１１における、傾斜方向の幅Ｌ１１（言い換えれば、第２吸込み口１１における、室内機本体部２の前面側の端部１１ａと後面側の端部１１ｂとの間の長さ）が、該第２吸込み口１１における、上記傾斜方向の水平面への投影幅Ｌ１１’（言い換えれば第２吸込み口１１における、室内機本体部２の前面側の端部１１ａと後面側の端部１１ｂとの間の水平方向の長さ）よりも大きくなる。つまり、Ｌ１１＞Ｌ１１’となる。
【００６３】
このため、第２吸込み面および第２フィルタ１５が上述したように傾斜していることで、第２吸込み面が水平に形成されており、第２フィルタ１５を水平に配置した場合と比較して、それぞれの第２吸込み面の水平方向の幅（Ｌ１１’）が同じであっても、第２吸込み面の開口幅（開口面積）を広げることができる。この結果、送風抵抗が小さくなり、風量が増加する。第２吸込み口１１から吸込まれた空気は、送風ファン１３および熱交換器１４を経て吹出し口１７から吹き出される。したがって、第２吸込み口１１から吸込まれる空気の量が増加すると、吹出し口１７から吹出される空気の速度（風速）が増し、吹出し口１７から吹出される空気が遠くまで届く。したがって、空調空間（空気清浄空間）における空気の清浄率を向上させることができる。
【００６４】
なお、第２吸込み面の傾斜角度と第２フィルタ１５の傾斜角度とは、同じであることが望ましいが、異なっていても構わない。
【００６５】
第２吸込み面の傾斜角度および第２フィルタ１５の傾斜角度は、第１吸込み面の傾斜角度および第１フィルタ１６の傾斜角度と同様に、それぞれ大きければ大きいほど、上述した効果が大きくなることから望ましい。但し、第１吸込み面および第１フィルタ１６と同様に、第２吸込み面および第２フィルタ１５を傾斜させるためには、例えば、第２吸込み口１１および第２フィルタ保持部材２１と、これら第２吸込み口１１および第２フィルタ保持部材２１に隣接する部材（例えば送風ファン１３、熱交換器１４等）との隙間を小さくしたり、これら第１吸込み口１２および第１フィルタ保持部材２２に隣接する部材の形状を変更したりする必要がある。あるいは、室内機本体部２の寸法を大きくする必要がある。このため、室内機１を規定寸法内に収めるためには、第２吸込み面の傾斜角度および第２フィルタ１５の傾斜角度は、それぞれ２０度以下に設定されていることが望ましい。
【００６６】
以上のように、本実施形態によれば、室内機１の上下に障害物がある場合でも空気の循環性能を維持することができるとともに、従来よりも空気清浄効果が高い室内機１を提供することができる。
【００６７】
なお、図６では、実施形態１にかかる室内機１における第２吸込み口１１の第２吸込み面および第２フィルタ１５を傾斜させた場合を例に挙げて図示したが、実施形態２にかかる室内機１における第２吸込み口１１の第２吸込み面および第２フィルタ１５を上述したように傾斜させてもよいことは、言うまでもない。これにより、実施形態２による効果を併せて得ることができる。
【００６８】
〔まとめ〕
本発明の態様１にかかる空気調和機の室内機１は、空気を吹出す吹出し口１７を有する本体部（室内機本体部２）を備え、上記本体部が、下面に、空気を吸込む第１吸込み口１２を有するとともに、上記第１吸込み口１２の内側に、第１空気清浄フィルタ（第１フィルタ１６）を有し、上記第１吸込み口１２の空気の吸込み面が、該吸込み面における上記本体部の前面側の端部１２ａが該吸込み面における上記本体部の後面側の端部１２ｂよりも上方に位置するように傾斜しているとともに、上記第１空気清浄フィルタが、該第１空気清浄フィルタの上記第１吸込み口１２との対向面における上記本体部の前面側の端部１６ａが上記対向面における上記本体部の後面側の端部１６ｂよりも上方に位置するように傾斜している。
【００６９】
上記の構成によれば、空気調和機の室内機１の真下に障害物がある場合でも空気の循環性能を維持することができるとともに、従来よりも空気清浄効果が高い空気調和機の室内機を提供することができる。
【００７０】
本発明の態様２にかかる空気調和機の室内機１は、上記態様１において、上記本体部が、上面に、空気を吸込む第２吸込み口１１を有するとともに、上記第２吸込み口１１の内側に、第２空気清浄フィルタ（第２フィルタ１５）を有し、上記第１吸込み口１２における空気の吸込み面の面積が上記第２吸込み口１１における空気の吸込み面の面積よりも大きく、上記第１空気清浄フィルタの面積が上記第２空気清浄フィルタの面積よりも大きくてもよい。
【００７１】
上記の構成によれば、床面付近の空気の清浄率をより向上させることができる。
【００７２】
本発明の態様３にかかる空気調和機の室内機１は、上記態様１において、上記本体部が、上面に、空気を吸込む第２吸込み口１１を有するとともに、上記第２吸込み口１１の内側に、第２空気清浄フィルタ（第２フィルタ１５）を有し、上記第２吸込み口１１の空気の吸込み面が、該吸込み面における上記本体部の後面側の端部１１ｂが該吸込み面における上記本体部の前面側の端部１１ａよりも上方に位置するように傾斜しているとともに、上記第２空気清浄フィルタが、該第２空気清浄フィルタの上記第２吸込み口１１との対向面における上記本体部の後面側の端部１５ｂが上記対向面における上記本体部の前面側の端部１１ａよりも上方に位置するように傾斜していてもよい。
【００７３】
上記の構成によれば、空気調和機の室内機１の上下に障害物がある場合でも空気の循環性能を維持することができる。
【００７４】
本発明の態様４にかかる空気調和機の室内機１は、上記態様１において、上記本体部が、上面に、空気を吸込む第２吸込み口１１を有するとともに、上記第２吸込み口１１の内側に、第２空気清浄フィルタ（第２フィルタ１５）を有し、上記第１吸込み口１２における空気の吸込み面の面積が上記第２吸込み口１１における空気の吸込み面の面積よりも大きく、上記第１空気清浄フィルタの面積が上記第２空気清浄フィルタの面積よりも大きく、かつ、上記第２吸込み口１１の空気の吸込み面が、該吸込み面における上記本体部の後面側の端部１１ｂが該吸込み面における上記本体部の前面側の端部１１ａよりも上方に位置するように傾斜しているとともに、上記第２空気清浄フィルタが、該第２空気清浄フィルタの上記第２吸込み口１１との対向面における上記本体部の後面側の端部１５ｂが上記対向面における上記本体部の前面側の端部１１ａよりも上方に位置するように傾斜していてもよい。
【００７５】
上記の構成によれば、空気調和機の室内機１の上下に障害物がある場合でも空気の循環性能を維持することができるとともに、床面付近の空気の清浄率をより向上させることができる。
【００７６】
本発明の態様５にかかる空気調和機の室内機１は、上記態様１〜４の何れかにおいて、上記第１空気清浄フィルタがＨＥＰＡフィルタであってもよい。
【００７７】
ＨＥＰＡフィルタは、例えば３０ｍｍもの厚みを有し、直線状に配置される。また、ＨＥＰＡフィルタは、微塵埃の捕集率（空気清浄率）および微塵埃の除去効率（空気清浄効率）が高い。上記室内機１は、上記第１空気清浄フィルタがＨＥＰＡフィルタである場合に、好適に適用できる。
【００７８】
本発明の態様６にかかる空気調和機の室内機１は、上記態様２〜４の何れかにおいて、上記第１空気清浄フィルタおよび上記第２空気清浄フィルタがそれぞれＨＥＰＡフィルタであってもよい。
【００７９】
ＨＥＰＡフィルタは、例えば３０ｍｍもの厚みを有し、直線状に配置される。また、ＨＥＰＡフィルタは、微塵埃の捕集率（空気清浄率）および微塵埃の除去効率（空気清浄効率）が高い。上記室内機１は、上記第１空気清浄フィルタおよび上記第２フィルタがＨＥＰＡフィルタである場合に、好適に適用できる。
【００８０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８１】
１    室内機（空気調和機の室内機）
２    室内機本体部（本体部）
１１ａ、１１ｂ、１２ａ、１２ｂ、１５ａ、１５ｂ、１６ａ、１６ｂ    端部
１５    第２フィルタ
１６    第１フィルタ
【図１】
2019239649.tif 000003
【図２】
2019239649.tif 000004
【図３】
2019239649.tif 000005
【図４】
2019239649.tif 000006
【図５】
2019239649.tif 000007
【図６】
2019239649.tif 000008
【図７】
2019239649.tif 000009
【図８】
2019239649.tif 000010
【図９】
2019239649.tif 000011
【図１０】
2019239649.tif 000012
【国際調査報告】
2019239649.tif 000013
2019239649.tif 000014
2019239649.tif 000015
2019239649.tif 000016